(57)【特許請求の範囲】
【請求項１】
連続する５階分又は１０階分の行き先階を個別に指定する５個又は１０個の行き先階ボタンをそれぞれ有し、上下方向へ並べられた複数のボタン群
を備え、
各上記行き先階ボタンは、上記ボタン群ごとに同一の配置パターンで配置され、
上下に隣り合う上記ボタン群のうち、上の上記ボタン群の最下段に配置された上記行き先階ボタンと、下の上記ボタン群の最上段に配置された上記行き先階ボタンとの間では、水平方向についての位置関係が少なくとも一部で互いに異なっており、
上下に隣り合う上記ボタン群は、水平方向へ互いにずらして配置されていることを特徴とするエレベータのかご操作盤。
【請求項２】
連続する５階分又は１０階分の行き先階を個別に指定する５個又は１０個の行き先階ボタンをそれぞれ有し、上下方向へ並べられた複数のボタン群
を備え、
各上記行き先階ボタンは、上記ボタン群ごとに同一の配置パターンで配置され、
上下に隣り合う上記ボタン群のうち、上の上記ボタン群の最下段に配置された上記行き先階ボタンと、下の上記ボタン群の最上段に配置された上記行き先階ボタンとの間では、水平方向についての位置関係が少なくとも一部で互いに異なっており、
各上記ボタン群では、各上記行き先階ボタンの位置関係が上記ボタン群全体として上下非対称になるように各上記行き先階ボタンが配置されていることを特徴とするエレベータのかご操作盤。
【請求項３】
連続する５階分又は１０階分の行き先階を個別に指定する５個又は１０個の行き先階ボタンをそれぞれ有し、上下方向へ並べられた複数のボタン群
を備え、
各上記行き先階ボタンは、上記ボタン群ごとに同一の配置パターンで配置され、
上下に隣り合う上記ボタン群のうち、上の上記ボタン群の最下段に配置された上記行き先階ボタンと、下の上記ボタン群の最上段に配置された上記行き先階ボタンとの間では、水平方向についての位置関係が少なくとも一部で互いに異なっており、
共通の上記ボタン群における各上記行き先階ボタンによって指定される上記５階分又は１０階分の行き先階のうち、最上の上記行き先階を指定する上記行き先階ボタンは、識別基準ボタンとして上記ボタン群の最上段に配置されていることを特徴とするエレベータのかご操作盤。
【請求項４】
共通の上記ボタン群における各上記行き先階ボタンによって指定される上記５階分又は１０階分の行き先階のうち、最上の上記行き先階を指定する上記行き先階ボタンは、識別基準ボタンとして上記ボタン群の最上段に配置されていることを特徴とする請求項１又は請求項２に記載のエレベータのかご操作盤。
【請求項５】
共通の上記ボタン群では、上記識別基準ボタンと他の上記行き先階ボタンとの間で、形状、大きさ及び表示態様の少なくともいずれかが異なっていることを特徴とする請求項３又は請求項４に記載のエレベータのかご操作盤。
【発明の詳細な説明】
【技術分野】
【０００１】
この発明は、かごの行き先階を指定する複数の行き先階ボタンを有するエレベータのかご操作盤に関するものである。
【背景技術】
【０００２】
通常、エレベータのかご操作盤には、乗客がかごの行き先階を指定するために、各行き先階に対応する複数の行き先階ボタンが設けられている。各行き先階ボタンは、一定の順序で例えば縦２列に整然と配列されている。従って、従来のエレベータのかご操作盤では、行き先階ボタンに表示された数字をかご内の乗客が１つずつ辿りながら希望の行き先階ボタンを探すこととなり、乗客が希望の行き先階ボタンを見つけるまでに時間がかかってしまう。
【０００３】
従来、乗客が希望の行き先階ボタンを見つけやすくするために、１階及び５の倍数で表示される階床を基本階とし、各基本階に対応する行き先階ボタンのサイズや形状等を他の行き先階ボタンと異ならせて、各基本階に対応する行き先階ボタンを目立たせるようにしたエレベータのかご操作盤が提案されている（例えば特許文献１参照）。
【先行技術文献】
【特許文献】
【０００４】
【特許文献１】実用新案登録第３１２４９４１号公報
【発明の概要】
【発明が解決しようとする課題】
【０００５】
しかし、従来のエレベータのかご操作盤では、基本階に対応する行き先階ボタンであるか他の行き先階ボタンであるかに関係なく、各行き先階ボタンが一定の順序で整然と配列されているので、例えば高層の建物に設置されたエレベータのように、行き先階ボタンの数が多い場合には、基本階に対応する行き先階ボタンを探すだけでも時間がかかってしまい、希望の行き先階ボタンが見つかるまでに時間がかかってしまう。
【０００６】
この発明は、上記のような課題を解決するためになされたものであり、希望の行き先階ボタンを見つけやすくすることができるエレベータのかご操作盤を得ることを目的とする。
【課題を解決するための手段】
【０００７】
また、この発明に係るエレベータのかご操作盤は、連続する５階分又は１０階分の行き先階を個別に指定する５個又は１０個の行き先階ボタンをそれぞれ有し、上下方向へ並べられた複数のボタン群を備え、各行き先階ボタンは、ボタン群ごとに同一の配置パターンで配置され、上下に隣り合うボタン群のうち、上のボタン群の最下段に配置された行き先階ボタンと、下のボタン群の最上段に配置された行き先階ボタンとの間では、水平方向についての位置関係が少なくとも一部で互いに異なっている。
【発明の効果】
【０００８】
この発明に係るエレベータのかご操作盤では、各ボタン群にそれぞれ含まれる各行き先階ボタンがボタン群ごとに同一の配置パターンで配置され、上下に隣り合うボタン群のうち、上のボタン群の最下段に配置された行き先階ボタンと、下のボタン群の最上段に配置された行き先階ボタンとの間では、水平方向についての位置関係が少なくとも一部で互いに異なっているので、各ボタン群の境界を明確にすることができ、各ボタン群を容易に区別することができる。また、ボタン群内での行き先階ボタンの配置の法則も把握しやすくすることができる。これにより、希望の行き先階ボタンを見つけやすくすることができる。
【図面の簡単な説明】
【０００９】
【図１】この発明の実施の形態１によるエレベータのかご内を示す正面図である。
【図２】図１のかご操作盤を示す正面図である。
【図３】この発明の実施の形態２によるエレベータのかご操作盤を示す正面図である。
【図４】この発明の実施の形態３によるエレベータのかご操作盤を示す正面図である。
【図５】この発明の実施の形態４によるエレベータのかご操作盤を示す正面図である。
【図６】この発明の実施の形態５によるエレベータのかご操作盤を示す正面図である。
【発明を実施するための形態】
【００１０】
実施の形態１．
図１は、この発明の実施の形態１によるエレベータのかご内を示す正面図である。図において、昇降路内を昇降されるかご１は、かご床２と、かご床２の上方に配置されたかご天井３と、かご１の幅方向両側に配置された一対のかご側面壁４と、かご１の奥行き方向の前端部及び後端部にそれぞれ配置されたかご正面壁５及びかご背面壁（図示せず）とを有している。
【００１１】
かご正面壁５には、かご出入口６が設けられている。かご出入口６は、一対のかごドア７によって開閉可能になっている。各かごドア７は、かご１に搭載されたドア駆動装置（図示せず）の駆動力で移動されることにより、かご出入口６を開閉する。
【００１２】
また、かご正面壁５には、かご１内で操作可能なかご操作盤８が設けられている。かご操作盤８は、かご出入口６の側方に配置されている。
【００１３】
図２は、図１のかご操作盤８を示す正面図である。図において、かご操作盤８は、かご正面壁５に固定された操作盤プレート（支持プレート）９と、操作盤プレート９に設けられ、かご１の行き先階を個別に指定する複数の行き先階ボタン１０と、操作盤プレート９に設けられ、かご出入口６を開閉するための戸開ボタン１１及び戸閉ボタン１２とを有している。エレベータの運転は、各行き先階ボタン１０、戸開ボタン１１及び戸閉ボタン１２のそれぞれの操作に基づいて図示しない制御装置により制御される。
【００１４】
この例では、１階から３４階までの複数の階床が存在する高層の建物にエレベータが設置されている。かご１は、１階から３４階までの乗場のすべてに停止可能になっている。行き先階ボタン１０の数は、かご１が停止可能な階床の数と一致している。従って、この例では、行き先階ボタン１０の数が３４個とされている。
【００１５】
各行き先階ボタン１０には、各行き先階ボタン１０が個別に指定する行き先階に対応する表示がそれぞれ付されている。各行き先階ボタン１０に付された行き先階の表示は、連続する１０階分の行き先階ごとに繰り返される一定の規則性を持った表示とされている。即ち、連続する１０階分の行き先階ごとに繰り返される一定の規則性を持った行き先階の表示によって、１０個の行き先階ボタン１０ごとに行き先階ボタン１０がグループ化されている。
【００１６】
この例では、建物の各階床を個別に示す数字がそのまま行き先階の表示とされている。従って、この例では、各階床を示す数字の一の位が一定の規則性を持って１０階分ごとに繰り返されている。
【００１７】
行き先階の表示の規則性によってグループ化された１０個の行き先階ボタン１０のそれぞれのまとまりは、複数のボタン群１３とされている。即ち、操作盤プレート９には、行き先階の表示の規則性によってグループ化された１０個の行き先階ボタン１０をそれぞれ有する複数のボタン群１３が設けられている。従って、各ボタン群１３には、行き先階ボタン１０が同数ずつ含まれている。この例では、１階〜１０階に対応する行き先階ボタン１０を含む第１のボタン群１３ａと、１１階〜２０階に対応する行き先階ボタン１０を含む第２のボタン群１３ｂと、２１階〜３０階に対応する行き先階ボタン１０を含む第３のボタン群１３ｃとが操作盤プレート９に設けられている。
【００１８】
各行き先階ボタン１０は、ボタン群１３ごとに、行き先階の表示の規則性に対応させて同一の配置パターンで配置されている。この例では、共通のボタン群１３において、行き先階ボタン１０が縦２列に５個ずつ配置され、かつ、行き先階を示す数字が小さくなるほど下の位置になるように行き先階ボタン１０が順次配置されている。
【００１９】
共通のボタン群１３では、各行き先階ボタン１０によって指定される１０階分の行き先階のうち、最上の行き先階を指定する行き先階ボタン１０が、識別基準ボタン１０ａとしてボタン群１３の最上段に配置されている。この例では、行き先階の表示が１０の倍数とされた行き先階ボタン１０が識別基準ボタン１０ａとされている。即ち、１０階、２０階及び３０階を行き先階としてそれぞれ指定する３個の行き先階ボタン１０が識別基準ボタン１０ａとされている。識別基準ボタン１０ａを除く他の９個の行き先階ボタン１０ｂは、ボタン群１３ごとに識別基準ボタン１０ａに対して同一の位置関係となるようにそれぞれ配置されている。
【００２０】
各ボタン群１３は、上下方向へ並べられている。また、上下に隣り合うボタン群１３は、水平方向へ互いにずらして配置されている。これにより、上下に隣り合うボタン群１３のうち、上のボタン群１３の最下段に配置された２つの行き先階ボタン１０と、下のボタン群１３の最上段に配置された２つの行き先階ボタン１０との間では、水平方向の位置関係が一部で互いに異なっている。これにより、各ボタン群１３の境界に段差が形成されて各ボタン群１３の境界が明確になり、各ボタン群１３がそれぞれ視覚的に区別される。この例では、各ボタン群１３が下から順に左右へ交互にずらして配置されている。また、この例では、上のボタン群１３の最下段に配置された２つの行き先階ボタン１０と、下のボタン群１３の最上段に配置された２つの行き先階ボタン１０とのうち、１つの行き先階ボタン１０同士のみが上下に整列されている。
【００２１】
各行き先階ボタン１０の形状及び大きさは、すべて同一となっている。この例では、各行き先階ボタン１０の形状が正方形となっている。また、各行き先階ボタン１０の行き先階の表示の態様（例えば、数字の線の太さや数字の色等）も、すべて同一となっている。
【００２２】
各行き先階ボタン１０の少なくともいずれかが操作されると、操作により指定された行き先階への呼び登録が行われる。かご１は、呼び登録によって指定された行き先階へ制御装置の制御により移動される。
【００２３】
戸開ボタン１１及び戸閉ボタン１２は、最下のボタン群１３（この例では、第１のボタン群１３ａ）の下方に配置されている。かご出入口６は、戸開ボタン１１の操作により開き、戸閉ボタン１２の操作により閉じる。
【００２４】
このようなエレベータのかご操作盤８では、各ボタン群１３にそれぞれ含まれる各行き先階ボタン１０がボタン群１３ごとに同一の配置パターンで配置され、上下に隣り合うボタン群１３のうち、上のボタン群１３の最下段に配置された行き先階ボタン１０と、下のボタン群１３の最上段に配置された行き先階ボタン１０との間では、水平方向の位置関係が一部で互いに異なっているので、各ボタン群１３の境界を明確にすることができ、各ボタン群１３を容易に区別することができる。これにより、希望の行き先階ボタン１０が属するボタン群１３を見つけやすくすることができる。また、各行き先階ボタン１０の配置パターンがボタン群１３ごとに同一になっていることから、ボタン群１３内での行き先階ボタン１０の配置の法則を把握しやすくすることができ、ボタン群１３内での希望の行き先階ボタン１０を見つけやすくすることができる。従って、希望の行き先階ボタン１０を見つけやすくすることができ、乗客が希望の行き先階ボタン１０を探すのにかかる時間の短縮化を図ることができる。
【００２５】
また、上下に隣り合うボタン群１３は、水平方向へ互いにずらして配置されているので、各ボタン群１３の境界をさらに容易に明確にすることができる。
【００２６】
また、共通のボタン群１３における各行き先階ボタン１０によって指定される１０階分の行き先階のうち、最上の行き先階を指定する行き先階ボタン１０は、識別基準ボタン１０ａとしてボタン群１３の最上段に配置されているので、最上の行き先階を指定する識別基準ボタン１０ａの位置を分かりやすくすることができる。これにより、ボタン群１３内において希望の行き先階ボタン１０を探すときに、識別基準ボタン１０ａを基準にすることができ、希望の行き先階ボタン１０をさらに見つけやすくすることができる。
【００２７】
なお、上記の例では、各ボタン群１３の一部同士が上下に整列されているが、上下に隣り合うボタン群１３を水平方向へ互いに大きくずらすことにより、上下に隣り合うボタン群１３の一方が他方から水平方向へ完全に外れるようにしてもよい。
【００２８】
また、上記の例では、各行き先階ボタン１０の形状、大きさ及び表示態様がすべて同一とされているが、ボタン群１３の最上段に配置された識別基準ボタン１０ａと他の行き先階ボタン１０ｂとの間で、形状、大きさ及び表示態様の少なくともいずれかが異なるようにしてもよい。このようにすれば、識別基準ボタン１０ａを他の行き先階ボタン１０ｂから視覚的にさらに区別しやすくすることができ、識別基準ボタン１０ａを目立たせることができる。従って、ボタン群１３内において希望の行き先階ボタン１０を探すときに、希望の行き先階ボタン１０をさらに見つけやすくすることができる。
【００２９】
また、上記の例では、連続する１０階分の行き先階を個別に指定する１０個の行き先階ボタン１０によって共通のボタン群１３が構成されているが、連続する５階分の行き先階を個別に指定する５個の行き先階ボタン１０によって共通のボタン群を構成してもよい。この場合、一定の規則性を持った行き先階の表示によって繰り返される１０個の行き先階ボタン１０のまとまりを５個ずつにグループ化することにより複数のボタン群が構成される。このようにしても、上下に隣り合うボタン群を水平方向へ互いにずらして配置することにより、各ボタン群の境界を明確にすることができ、各ボタン群を容易に区別することができる。従って、希望の行き先階ボタン１０を見つけやすくすることができる。
【００３０】
実施の形態２．
実施の形態１では、上下に隣り合うボタン群１３を水平方向へ互いにずらして配置することにより、各ボタン群１３が視覚的に区別されるようになっているが、各ボタン群１３に含まれる各行き先階ボタン１０の配置を工夫することにより、各ボタン群１３が視覚的に区別されるようにしてもよい。
【００３１】
即ち、図３は、この発明の実施の形態２によるエレベータのかご操作盤を示す正面図である。図において、各行き先階ボタン１０は、ボタン群１３ごとに、行き先階の表示の規則性に対応させて同一の配置パターンで配置されている。また、各ボタン群１３では、各行き先階ボタン１０の位置関係がボタン群１３全体として上下非対称になるように各行き先階ボタン１０が配置されている。これにより、上下に隣接するボタン群１３のうち、上のボタン群１３の最下段に配置された行き先階ボタン１０と、下のボタン群１３の最上段に配置された行き先階ボタン１０との間で、水平方向についての位置関係が一部で互いに異なっている。
【００３２】
この例では、識別基準ボタン（即ち、１０階、２０階及び３０階の行き先階の表示が付された行き先階ボタン）１０ａを除く他の９個の行き先階ボタン１０ｂが縦３列に３個ずつ配置され、他の９個の行き先階ボタン１０ｂの右端の列の上の位置に識別基準ボタン１０ａが配置されている。即ち、各ボタン群１３では、識別基準ボタン１０ａのみがボタン群１３の最上段に配置されている。これにより、上下に隣り合うボタン群１３のうち、上のボタン群１３の最下段に配置された３つの行き先階ボタン１０と、下のボタン群１３の最上段に配置された１つの行き先階ボタン１０との間では、各ボタン群１３の右端の行き先階ボタン１０については上下に整列されているが、上のボタン群１３の最下段に配置された残りの２つの行き先階ボタン１０が下のボタン群１３の最上段に配置された行き先階ボタン１０に対して上下に整列される位置から外れて配置されている。他の構成は実施の形態１と同様である。
【００３３】
このようなエレベータのかご操作盤８では、各ボタン群１３において、各行き先階ボタン１０の位置関係がボタン群１３全体として上下非対称になるように各行き先階ボタン１０が配置されているので、各ボタン群１３の境界を容易に明確にすることができ、各ボタン群を容易に区別することができる。従って、希望の行き先階ボタン１０を見つけやすくすることができる。
【００３４】
なお、上記の例では、各ボタン群１３において、他の９個の行き先階ボタン１０ｂが配置された縦３列のうち、端の列に識別基準ボタン１０ａが配置されているが、識別基準ボタン１０ａを縦の中央の列に配置してもよい。
【００３５】
実施の形態３．
図４は、この発明の実施の形態３によるエレベータのかご操作盤を示す正面図である。図において、各ボタン群１３では、最上段に配置された識別基準ボタン１０ａの形状及び大きさが他の９個の行き先階ボタン１０ｂと異なっている。具体的には、識別基準ボタン１０ａの形状が横長の長方形とされているのに対して、他の９個の行き先階ボタン１０ｂの形状が正方形とされている。また、識別基準ボタン１０ａは、他の行き先階ボタン１０ｂの縦３列分に亘って水平に配置されている。これにより、上下に隣接するボタン群１３のうち、上のボタン群１３の最下段に配置された行き先階ボタン１０と、下のボタン群１３の最上段に配置された行き先階ボタン１０との間で、水平方向についての位置関係が一部で互いに異なっている。他の構成は実施の形態２と同様である。
【００３６】
このようなエレベータのかご操作盤８では、識別基準ボタン１０ａの大きさ及び形状が他の行き先階ボタン１０ｂの大きさ及び形状と異なっているので、識別基準ボタン１０ａを目立たせることができ、希望の行き先階ボタン１０を見つけやすくすることができる。
【００３７】
なお、上記の例では、識別基準ボタン１０ａと他の行き先階ボタン１０ｂとの間で、形状及び大きさのみが異なっているが、これに限定されず、識別基準ボタン１０ａと他の行き先階ボタン１０ｂとの間で、形状、大きさ及び表示態様の少なくともいずれかが異なっていれば、識別基準ボタン１０ａを目立たせることができる。
【００３８】
実施の形態４．
図５は、この発明の実施の形態４によるエレベータのかご操作盤を示す正面図である。図において、各行き先階ボタン１０は、ボタン群１３ごとに、行き先階の表示の規則性に対応させて同一の配置パターンで配置されている。また、各ボタン群１３では、各行き先階ボタン１０の位置関係がボタン群１３全体として上下非対称になるように各行き先階ボタン１０が配置されている。これにより、上下に隣接するボタン群１３のうち、上のボタン群１３の最下の位置に配置された行き先階ボタン１０と、下のボタン群１３の最上の位置に配置された行き先階ボタン１０との間で、水平方向についての位置関係がすべてにおいて互いに異なっている。
【００３９】
この例では、共通のボタン群１３における各行き先階ボタン１０は、ボタン群１３全体として識別基準ボタン１０ａを頂点とする三角形状となるように配置されている。また、各行き先階ボタン１０は、４つの辺を水平方向に対して傾斜させて配置されている。なお、戸開ボタン１１及び戸閉ボタン１２も、各行き先階ボタン１０と同様に、４つの辺を水平方向に対して傾斜させて配置されている。他の構成は実施の形態２と同様である。
【００４０】
このようにしても、各ボタン群１３において、各行き先階ボタン１０の位置関係がボタン群１３全体として上下非対称になっているので、各ボタン群を容易に区別することができ、希望の行き先階ボタン１０を見つけやすくすることができる。
【００４１】
実施の形態５．
図６は、この発明の実施の形態５によるエレベータのかご操作盤を示す正面図である。図において、各ボタン群１３における識別基準ボタン１０ａの大きさが他の行き先階ボタン１０ｂの大きさと異なっている。具体的には、識別基準ボタン１０ａが他の行き先階ボタン１０ｂよりも大きくなっている。他の構成は実施の形態４と同様である。
【００４２】
このように、識別基準ボタン１０ａを他の行き先階ボタン１０ｂよりも大きくすることにより、識別基準ボタン１０ａをさらに目立たせることができ、希望の行き先階ボタン１０をさらに見つけやすくすることができる。
【００４３】
なお、上記の例では、識別基準ボタン１０ａと他の行き先階ボタン１０ｂとの間で、大きさのみが異なっているが、これに限定されず、識別基準ボタン１０ａと他の行き先階ボタン１０ｂとの間で、形状、大きさ及び表示態様の少なくともいずれかが異なっていれば、識別基準ボタン１０ａを目立たせることができる。
【００４４】
また、上記実施の形態２〜５では、上下方向へ並ぶ各ボタン群１３の水平方向についての位置は互いに同位置となっているが、上下に隣り合うボタン群１３を水平方向へ互いにずらして配置してもよい。このようにすれば、各ボタン群１３をさらに区別しやすくすることができ、希望の行き先階ボタン１０をさらに見つけやすくすることができる。
【００４５】
また、各上記実施の形態１〜５では、共通のボタン群１３での行き先階ボタン１０の中で最上の行き先階を指定する識別基準ボタン１０ａが、ボタン群１３の最上の位置に配置されているが、各行き先階ボタン１０がボタン群１３ごとに同一の配置パターンで配置されていれば、識別基準ボタン１０ａがボタン群１３の最上の位置に配置されていなくてもよい。
【符号の説明】
【００４６】
８  かご操作盤、１０  行き先階ボタン、１０ａ  識別基準ボタン、１０ｂ  他の行き先階ボタン、１３  ボタン群。
【図１】
0005683168.tif 000002
【図２】
0005683168.tif 000003
【図３】
0005683168.tif 000004
【図４】
0005683168.tif 000005
【図５】
0005683168.tif 000006
【図６】
0005683168.tif 000007